(57)【要約】【課題】  カメラのファインダー光学系において、接眼光学系の焦点距離が長いため、交換レンズにより形成された像と接眼光学系との中間に倒立プリズムを配置することが可能であるが、望遠鏡倍率を高くしようとすると接眼光学系の焦点距離を短くする必要がある。【解決手段】単眼鏡（１０）は、単一の対物レンズ部（１１）と、単一の対物レンズ部（１１）が装着可能なマウント（１５ｂ）と単一の接眼部（１３）とを有する本体と、本体内に配置され、対物レンズ部（１１）からの光線を少なくとも６回反射させて、対物レンズ部（１１）の光軸（ＬＲ）方向である第１方向に対して平行な光軸（ＬＲ）に導く導光光学系（２０）とを備える。これにより、光路を折り曲げて単眼鏡（１０）の光束入射方向の全長を短くし、且つコンパクトにすることができ、操作性が良くなる。【選択図】図２
2010122562.tif 000002
【特許請求の範囲】
【請求項１】
単一の対物レンズ部と、
前記単一の対物レンズ部が装着可能なマウントと、単一の接眼部とを有する本体と、
前記本体内に配置され、前記対物レンズ部からの光線を少なくとも６回反射させて、前記対物レンズ部の光軸方向である第１方向に対して平行な光軸に導く導光光学系と、
を備えることを特徴とする単眼鏡。
【請求項２】
前記導光光学系は、
前記対物レンズ部からの光線を、前記第１方向に対して垂直の第２方向に反射させる第１反射面と、
該第１反射面での反射光を前記第１方向と前記第２方向とに対して垂直の第３方向に反射させる第２反射面と、
該第２反射面での反射光を前記第２方向に反射させる第３反射面と、
該第３反射面での反射光を前記第３方向に反射させる第４反射面と、
該第４反射面での反射光を前記第２方向に反射させる第５反射面と、
該第５反射面での反射光を前記第１方向に反射させる第６反射面と、
を有することを特徴とする請求項１に記載の単眼鏡。
【請求項３】
前記導光光学系は、
前記対物レンズ部からの光線を、前記第１方向に対して垂直の第２方向に反射させる第１反射面と、
該第１反射面での反射光を前記第１方向に反射させる第２反射面と、
該第２反射面での反射光を前記第２方向に反射させる第３反射面と、
該第３反射面での反射光を前記第１方向に反射させる第４反射面と、
該第４反射面での反射光を前記第２方向に反射させる第５反射面と、
該第５反射面での反射光を前記第１方向に反射させる第６反射面と、
を有することを特徴とする請求項１に記載の単眼鏡。
【請求項４】
前記対物レンズ部の光軸と前記第６反射面で反射された光軸とが同一直線上に存在することを特徴とする請求項２又は請求項３に記載の単眼鏡。
【請求項５】
前記第１反射面から前記第６反射面までの間に、リレーレンズが配置されていることを特徴とする請求項２から請求項４のいずれか一項に記載の単眼鏡。
【請求項６】
前記リレーレンズの倍率（像の大きさの比）をβとしたとき、以下の条件式を満たすことを特徴とする請求項５に記載の単眼鏡。
β≦（１／２）×（ｆｅ／ｆｏ）×φｏ
なお、ｆｅは前記接眼光学系の焦点距離、ｆｏは前記対物レンズ部の焦点距離、φｏは前記対物レンズ部の瞳径を示す。
【請求項７】
前記対物レンズ部は、一眼レフカメラのボディに着脱可能な交換レンズであり、
該交換レンズはズーム機能又は防振機能を有していることを特徴とする請求項１から請求項６のいずれか一項に記載の単眼鏡。
【請求項８】
前記本体は、撮影用カメラとの接続を行うための構造を有していることを特徴とする請求項１から請求項７のいずれか一項に記載の単眼鏡。
【発明の詳細な説明】
【技術分野】
【０００１】
本発明は、単一の対物レンズ部と単一の接眼レンズ部とを有し被観察物を観察する単眼鏡に関する。
【背景技術】
【０００２】
カメラには、撮影者が撮影画面を確認するために、ファインダーが備えられている。例えば、従来のカメラにおいて、ファインダーの光学系は撮影光学系と別に設けられており、ファインダー光学系中で被観察物の像が結像される実像式ファインダーと、結像されない虚像式ファインダーとがある。
【０００３】
特許文献１では、被観察物の単一の結像を複数の接眼レンズにより両目で見ることができ、片目を閉じる必要のない見やすい双眼ファインダー構造が開示された。そのカメラの双眼ファインダー構造は、被観察物に対向する単一の対物レンズ系と、対物レンズ系がとらえた被観察物の像の光路を分岐する分岐手段と、分岐手段により分岐されたそれぞれの光路に対応して設けた接眼レンズ系とにより構成し、撮影者が少なくとも一方の目で覗き込み、被観察物の像を捕えることができる。
【０００４】
また、該対物レンズを透過して被観察物の像が形成され、その光路は分岐手段により適宜な本数に分岐される。このとき、分岐された光路のそれぞれに、被観察物の像が等しく捕えることができる。さらに、光路にはそれぞれ接眼レンズ系が設けられており、被観察物の像は該接眼レンズ系を透過して形成される。撮影者は、両方の目を異なる接眼レンズ系に接眼し、被観察物の像を捕えることができる。
【０００５】
また、特許文献２では手振れ補正機構を付いた双眼鏡が開示された。左右一対の対物レンズと接眼レンズとの間に、それぞれ左右一対の補正レンズが配置されている。左右一対の補正レンズを一体的に補正レンズ保持枠で保持する。振れがあった場合には、補正レンズ保持枠を左右一対の補正レンズと共に、各光学系の光軸に対して垂直な面内において、互いに直交している方向に、補正レンズ移動機構で移動させる。
【０００６】
このため、振れがあっても左右の光学系での見え方が同じで、光学系の設計自由度もあまり制限されず、駆動機構が簡単でコストの削減及び小型化を図ることができる手振れ補正機構付き双眼鏡が得られる。
【特許文献１】特開平０７−６４１５５号公報
【特許文献２】特開平１０−２０２１３号公報
【発明の開示】
【発明が解決しようとする課題】
【０００７】
特許文献１で開示された両眼タイプのファインダーは、単一の対物レンズ部で取り込んだ光を双眼に分割しなければならないため、明るくない問題がある。また、特許文献２に示されたように、手振れ防止機構を装備する場合にも左右同時に防振作用を作動させなければならないので左右の光学系の連動機構が非常に困難なものとなる。
【０００８】
さらに、従来の双眼鏡において、対物光学レンズ部内の光学系をズーム光学系で構成した場合、ズーミングの際の左右の光学系の連動運動時の僅かな誤差が接眼レンズ部内の接眼光学系によって拡大されるため非常に高い精度が要求される。その結果、双眼鏡の重量が増加し、また価格も高価なものとなる。
【０００９】
さらに、カメラのファインダー光学系は接眼光学系の焦点距離が長いため交換レンズにより形成された像と接眼光学系との中間に倒立プリズムを配置することが可能である。しかし、望遠鏡倍率を高くしようとすると接眼光学系の焦点距離を短くする必要があるので構造上非常に困難である。また、交換レンズにより形成された像より被観察物側に倒立プリズムを配置しようとしても、従来の交換レンズは倒立プリズムを配置するだけの十分なワーキングディスタンス又はバックフォーカスを有していないものが多い。エクステンダーを使用してバックフォーカスを延長し、倒立プリズムを配置することは可能であるが、望遠鏡倍率が高くなり、使う用途が限られてしまうことがある。
【００１０】
本発明は、光路を折り曲げて単眼鏡の光束入射方向の全長を短くし、且つコンパクトにすることができ、操作性の良い単眼鏡を提供することを目的とする。
【課題を解決するための手段】
【００１１】
第１の観点の単眼鏡は、単一の対物レンズ部と、単一の対物レンズ部が装着可能なマウントと単一の接眼部とを有する本体と、本体内に配置され、対物レンズ部からの光線を少なくとも６回反射させて、対物レンズ部の光軸方向である第１方向に対して平行な光軸に導く導光光学系とを備える。
このような構成によれば、光路を折り曲げて単眼鏡の光束入射方向の全長を短くし、かつコンパクトにすることができるので、操作性が良くなる。
【００１２】
第２の観点の単眼鏡の導光光学系は、対物レンズ部からの光線を、第１方向に対して垂直の第２方向に反射させる第１反射面と、該第１反射面での反射光を第１方向と第２方向とに対して垂直の第３方向に反射させる第２反射面と、該第２反射面での反射光を第２方向に反射させる第３反射面と、該第３反射面での反射光を第３方向に反射させる第４反射面と、該第４反射面での反射光を第２方向に反射させる第５反射面と、該第５反射面での反射光を第１方向に反射させる第６反射面とを有する。
このような構成によれば、対物レンズ部を通過する光軸と導光光学系を通過した光軸とが平行であるため、単眼鏡を介して観察できる像と単眼鏡を外した場合に観察できる像とに視差がないようになる。
【００１３】
第３の観点の単眼鏡の導光光学系は、対物レンズ部からの光線を、第１方向に対して垂直の第２方向に反射させる第１反射面と、該第１反射面での反射光を第１方向に反射させる第２反射面と、該第２反射面での反射光を第２方向に反射させる第３反射面と、該第３反射面での反射光を第１方向に反射させる第４反射面と、該第４反射面での反射光を第２方向に反射させる第５反射面と、該第５反射面での反射光を第１方向に反射させる第６反射面とを有する。
このような構成によれば、本体の光軸方向の幅がある程度に広がり、本体を手で固定し易いようになって操作性がよい。
【発明の効果】
【００１４】
本発明は、単一の対物レンズ部と単一の接眼レンズ部を有する単眼鏡において、対物レンズ部と接眼レンズ部の間に配置される導光光学系を備えることで、光路を折り曲げて単眼鏡の光束入射方向の全長を短くし、かつコンパクトにすることができるため、操作性の良い単眼鏡を提供することができる。
【発明を実施するための最良の形態】
【００１５】
以下、本発明の好適な実施の形態を図面に基づいて詳細に説明する。なお、本発明の範囲は以下の説明において特に本発明を限定する旨の記載がない限り、これらの形態に限られるものではない。
【００１６】
＜単眼鏡１０について＞
（第１の実施例）
第１の実施例の単眼鏡１０について、図１ないし図３を参照しながら説明する。
図１は、本実施例の単眼鏡１０の斜視図である。図１に示されたように、単眼鏡１０は対物レンズ部１１、ボディ部１２及び接眼部１３より構成される。対物レンズ部１１はズームレンズ及び単焦点レンズなどの一眼レフカメラ用交換レンズを使用目的に応じて装着することができる。また、対物レンズ部１１はオートフォーカス機構や手ブレ防止機構などを搭載している。このため、手振れ等があっても、目標が揺れることなくほぼ静止した状態で見ることができる。ボディ部１２は光学系を内蔵しており、複数のミラー及びレンズで構成されている。また、ボディ部１２は対物レンズ部１１等の制御を行う制御部１４が設けられている。
【００１７】
ボディ部１２にはマウント部１５ｂが形成されており、対物レンズ部１１のマウント部１５ａとボディ部１２のマウント部１５ｂとを結合することができる。ボディ部１２のマウント部１５ｂは、一眼レフカメラのマウント形状と同一にすることで、従来製造されている一眼レフカメラ用交換レンズを使用することができる。また、マウント部１５ｂには接点１６が形成されている。接点１６は、ボディ部１２と対物レンズ部１１とを電気的に接続するために必要であり、接続された対物レンズ部１１の情報の取得や、ボディ部１２からの電源供給及び演算処理結果の伝送に利用される。例えば、ボディ部１２のマウント部１５ｂの接点１６は、ボディ部１２の制御部１４が演算した対物レンズ部１１に最適なオートフォーカスの移動量を対物レンズ部１１に伝える。対物レンズ部１１内のモーターは供給信号でフォーカスレンズの駆動を行う。電源スイッチ１７で単眼鏡１０の電源ｏｎ／ｏｆｆを行う。
【００１８】
単眼鏡１０は、ボディ部１２のマウント部１５ｂを一眼レフカメラの対物レンズ部１１のマウント部１５ａに適合する形状にしている。このため、観察者は目的に応じて様々な一眼レフカメラ用交換レンズを対物レンズ部１１としてボディ部１２に装着することができる。一眼レフカメラの交換レンズはこれまで多数、また多種類の交換レンズが生産されている。例えばマクロ交換レンズ、手ブレ防止機構搭載交換レンズ、可変ズーム交換レンズまたは高倍率交換レンズなど多種類の交換レンズがある。マクロ交換レンズをボディ部１２に装着すると簡易顕微鏡として用いることができ、標準から中望遠程度までのズーム交換レンズを使用すると風景などを観察する単眼鏡１０となり、レンズ口径の大きな中長望遠の交換レンズを使用すると天体観測に適した単眼鏡１０となる。
【００１９】
図２は、本実施例に係る単眼鏡１０の導光光学系２０の原理図である。図２に示されたように、ボディ部１２の内部に収容された導光光学系２０はフィールドレンズ２１と、リレーレンズ２２Ａ、２２Ｂと、第１反射面３１を有する第１プリズム２３と、第２反射面３２及び第３反射面３３を有する第２プリズム２４と、第４反射面３４及び第５反射面３５を有する第３プリズム２５と、第６反射面３６を有する第４プリズム２６とを備える。また、導光光学系２０は対物レンズ部１１を通過した各光束を有効に利用できるように、対物レンズ部１１の射出瞳がリレーレンズ２２Ａとリレーレンズ２２Ｂとの中間に合わせられる。
【００２０】
また、対物レンズ部１１を通過した光軸ＬＲはフィールドレンズ２１に入射した後、第１プリズム２３の第１反射面３１で反射してＸ軸方向に向きを変え、第２プリズム２４に入射する。第２プリズム２４に入射した光軸ＬＲは第２反射面３２及び第３反射面により第２プリズム２４内で２回の全反射（ＸＺ平面内）を行い、第２プリズム２４に入射した方向とは逆方向に射出する。そして、第１リレーレンズ２２Ａ及び第２リレーレンズ２２Ｂに順次入射する。第２リレーレンズ２２Ｂを通過した光軸ＬＲは、第３プリズム２５に入射する。第３プリズム２５に入射した光軸ＬＲは第４反射面３４及び第５反射面３５により第３プリズム２５内で２回の全反射（ＸＺ平面内）を行い、第３プリズム２５に入射した方向とは逆方向に射出する。その後、第４プリズム２６に入射する。第４プリズム２６に入射した光軸ＬＲは第６反射面３６によりＹ軸方向に向きを変えて接眼部１３に到達する。
ところで、第３プリズム２５及び第４プリズム２６のＸ方向の位置を変更することで、第１プリズム２３と第４プリズム２６との距離を広げることができるので、前述の視差は発生するものの、第１プリズム２３の近傍にオートフォーカスのための機構を配置することができる。また、本実施例の単眼鏡１０を使用する際にはボディ部１２を手で固定するため、操作性の観点から、第３プリズム２５及び第４プリズム２６のＸ方向の位置を決めることも可能である。
【００２１】
図３は、本実施例に係る単眼鏡１０の導光光学系２０の結像原理を説明するための図である。本実施例の結像原理については、図３に示されたように被観察物ＩＭの端部Ｏから光軸ＬＲに平行に射出する光線Ｌ１（図３の実線）と、被観察物ＩＭの端部Ｏから対物レンズ部１１の中心を通過するように射出する光線Ｌ２（図３の破線）とを例として説明する。
【００２２】
ここで、光線Ｌ１は順に対物レンズ部１１のａ１点、フィールドレンズ２１のｂ１点、第１リレーレンズ２２Ａのｃ１点及び第２リレーレンズ２２Ｂのｄ１点で屈折されてＢ点を通過する。また、光線Ｌ２は順に対物レンズ部１１のａ２点、フィールドレンズ２１のｂ２点、第１リレーレンズ２２Ａのｃ２点及び第２リレーレンズ２２Ｂのｄ２点で屈折されてＢ点を通過する。なお、対物レンズ部１１により屈折された光線Ｌ１及びＬ２はフィールドレンズ２１前のＡ点で交差し、凸レンズ作用によって被観察物ＩＭの倒立した第１次像ＩＭ−Ａを結像する。その後、第２リレーレンズ２２Ｂにより屈折された光線Ｌ１及びＬ２は第２リレーレンズ２２Ｂ後のＢ点で交差し、同様に凸レンズ作用によって被観察物ＩＭの正立した第２次像ＩＭ−Ｂを結像する。従って、単眼鏡１０では正立像が観測することができる。また、本実施例の光学系は、同一の光源（例えば、図３のＯ点）からの全部の光線（例えば、Ｌ１及びＬ２）を、第１リレーレンズ２２Ａと第２リレーレンズ２２Ｂとの間でいつも平行な光線（例えば、線分ｃ１ｄ１及びｃ２ｄ２）となるように配置されている。
【００２３】
さらに、本実施例では対物レンズ部１１を通過する光軸ＬＲと導光光学系２０を通過した光軸ＬＲとが同一直線上にある。このため、単眼鏡１０を介して観察できる像ＩＭ−Ｂと単眼鏡１０を外した場合に観察できる被観察物とには視差がない。
【００２４】
以下、その結像原理について、数式を用いて説明する。
一般に、双眼鏡の瞳径（φｅ）は以下の数式（１）で表される。ここでｆｔは対物レンズの焦点距離を、φｏは対物レンズの入射瞳径を、ｆｅは接眼レンズの焦点距離を表している。
φｅ＝φｏ・ｆｅ／ｆｔ    …（１）
【００２５】
本実施例の場合、対物レンズの焦点距離ｆｔは対物レンズ部１１の焦点距離ｆｏにリレーレンズ２２Ａ，２２Ｂの倍率βを乗じたものに相当し、ｆｅは接眼レンズ１３の焦点距離に相当し、φｏは対物レンズ部１１の入射瞳径に相当する。
【００２６】
従って、本実施例の光学系における瞳径φｅは、以下の数式（２）で表される。
φｅ＝φｏ・ｆｅ／（ｆｏ・β）    …（２）
【００２７】
双眼鏡の観察像の明るさは接眼レンズの瞳径によって決定される。通常人間の瞳の大きさは明るいところでφ１．５ｍｍからφ２．０ｍｍ程度と言われている。双眼鏡の瞳径が人間の瞳径より小さい場合は裸眼で見た場合より暗くなり、これが極端になると非常に使いづらいものとなる。昼間に使用される測量用の望遠鏡では瞳径が１．５ｍｍのものでも視力の低下が少ないとして使用されていることから、φｅを１．５とすると以下の数式（３）が得られる。
１．５≦φｏ・ｆｅ／（ｆｏ・β）    …（３）
これをリレーレンズの倍率βについて書き直すと、以下の条件数式（４）が得られる。
β≦２／３・φｏ・ｆｅ／ｆｏ    …（４）
【００２８】
なお、快適に使用するには瞳径を２ｍｍ以上として、
β≦１／２・φｏ・ｆｅ／ｆｏ    …（５）
とするのが望ましい。
【００２９】
（第２の実施例）
第２の実施例の単眼鏡１０について、図４を参照しながら説明する。
図４は、第２の実施例に係る単眼鏡１０の導光光学系２０の原理図である。ここで、第１の実施例と同じな部分は説明を省略し、同じ構成要素については同符号を付し説明する。
【００３０】
図４に示されたように、本実施例の単眼鏡１０は第１の実施例に比べるとＺ方向にコンパクトである。この場合、光軸ＬＲは第１プリズム２３の第１反射面３１で反射してＸ軸方向に向きを変え、第２プリズム２４に入射する。第２プリズム２４に入射した光軸ＬＲは第２プリズム２４内の第２反射面３２及び第３反射面３３により２回の全反射（ＸＹ平面内）を行い、第２プリズム２４に入射した方向とは逆方向に射出する。そして、第１リレーレンズ２２Ａ、第２リレーレンズ２２Ｂに順次入射する。第２リレーレンズ２２Ｂを通過した光軸ＬＲは、第３プリズム２５に入射する。第３プリズム２５に入射した光軸ＬＲは第３プリズム２５内の第４反射面３４及び第５反射面３５で２回の全反射（ＸＹ平面内）を行い、第３プリズム２５に入射した方向とは逆方向に射出する。その後、第４プリズム２６に入射する。第４プリズム２６に入射した光軸ＬＲは第６反射面３６によりＹ軸方向に向きを変えて接眼部１３に到達する。
【００３１】
また、本実施例の結像原理は第１の実施例で説明された結像原理と同様であるから、ここで説明を省略する。ところで、本実施例の単眼鏡１０を使用する際にはボディ部１２を手で固定するため、ある程度のＹ軸方向長さがあった方が操作性がよい。
【００３２】
（第１の変形例）
第１の変形例の単眼鏡１０について、図５を参照しながら説明する。
図５は、第１の変形例に係る単眼鏡１０の導光光学系２０の原理図である。第１の実施例に比して、リレーレンズ２２Ａが第１プリズム２３と第２プリズム２４との間に、またリレーレンズ２２Ｂが第３プリズム２５と第４プリズム２６との間に配置されているとともに、第１プリズム２３と第４プリズム２６との距離を確保してある。ここで、第１の実施例と同じな部分は説明を省略し、同じ構成要素については同符号を付し説明する。
【００３３】
図５に示された単眼鏡１０は第１の実施例に比べると、第１プリズム２３及び第４プリズム２６と第１リレーレンズ２２Ａ及び第２リレーレンズ２２Ｂとの位置が異なる。具体的に、第１プリズム２３及び第４プリズム２６はＸ軸の方向で離れて設けられ、第１リレーレンズ２２Ａは第１プリズム２３と第２プリズム２４の間に設けられ、第２リレーレンズ２２Ｂは第３プリズム２５と第４プリズム２６の間に設けられている。
【００３４】
この場合、対物レンズ部１１を通過した光軸ＬＲはフィールドレンズ２１に入射した後、第１プリズム２３の第１反射面３１で反射してＸ軸方向に向きを変え、第１リレーレンズ２２Ａを通過して第２プリズム２４に入射する。第２プリズム２４に入射した光軸ＬＲは第２反射面３２及び第３反射面により第２プリズム２４内で２回の全反射（ＸＺ平面内）を行い、第２プリズム２４に入射した方向とは逆方向に射出して第３プリズム２５に入射する。第３プリズム２５に入射した光軸ＬＲは第４反射面３４及び第５反射面３５により第３プリズム２５内で２回の全反射（ＸＺ平面内）を行い、第３プリズム２５に入射した方向とは逆方向に射出する。そして、第２リレーレンズ２２Ｂに入射する。第２リレーレンズ２２Ｂを通過した光軸ＬＲは、第４プリズム２６に入射する。第４プリズム２６に入射した光軸ＬＲは第６反射面３６により光軸ＬＲに平行なＹ軸方向に向きを変えて接眼部１３に到達する。
【００３５】
また、本変形例の結像原理も第１の実施例で説明された結像原理と同様であるから、ここで説明を省略する。
【００３６】
（第２の変形例）
第２の変形例の単眼鏡１０について、図６を参照しながら説明する。
図６は、第２の変形例に係る単眼鏡１０の導光光学系２０の原理図である。第２の実施例に比して、第１リレーレンズ２２Ａが第１プリズム２３と第２プリズム２４との間に、また第２リレーレンズ２２Ｂが第３プリズム２５と第４プリズム２６との間に配置されているとともに、第１プリズム２３と第４プリズム２６との距離を確保してある。ここで、第２の実施例と同じな部分は説明を省略し、同じ構成要素については同符号を付し説明する。
【００３７】
図６に示された単眼鏡１０は第２の実施例に比べると、第１プリズム２３及び第４プリズム２６と第１リレーレンズ２２Ａ及び第２リレーレンズ２２Ｂとの位置が異なる。具体的に、第１プリズム２３及び第４プリズム２６はＸ軸の方向で離れて設けられ、第１リレーレンズ２２Ａは第１プリズム２３と第２プリズム２４の間に設けられ、第２リレーレンズ２２Ｂは第３プリズム２５と第４プリズム２６の間に設けられている。
【００３８】
この場合、対物レンズ部１１を通過した光軸ＬＲはフィールドレンズ２１に入射した後、第１プリズム２３の第１反射面３１で反射してＸ軸方向に向きを変え、第１リレーレンズ２２Ａを通過して第２プリズム２４に入射する。第２プリズム２４に入射した光軸ＬＲは第２反射面３２及び第３反射面により第２プリズム２４内で２回の全反射（ＸＹ平面内）を行い、第２プリズム２４に入射した方向とは逆方向に射出して第３プリズム２５に入射する。第３プリズム２５に入射した光軸ＬＲは第４反射面３４及び第５反射面３５により第３プリズム２５内で２回の全反射（ＸＹ平面内）を行い、第３プリズム２５に入射した方向とは逆方向に射出する。そして、第２リレーレンズ２２Ｂに入射する。第２リレーレンズ２２Ｂを通過した光軸ＬＲは、第４プリズム２６に入射する。第４プリズム２６に入射した光軸ＬＲは第６反射面３６により光軸ＬＲに平行なＹ軸方向に向きを変えて接眼部１３に到達する。
【００３９】
また、本変形例の結像原理も第１の実施例で説明された結像原理と同様であるから、ここで説明を省略する。
【００４０】
図７は、前述の単眼鏡１０を用いた撮影装置５０の構成を示すブロック図である。図７のように、撮影装置５０は単眼鏡１０、アタッチメント１８及びカメラ本体１９より構成される。ここで、単眼鏡１０の接眼部には勘合ネジ４１が切られており、アタッチメント１８にはそれに合致する勘合ネジ４２が切られているので、容易に脱着ができる。
【産業上の利用可能性】
【００４１】
以上、本発明の最適な実施例について詳細に説明したが、当業者に明らかなように、本発明はその技術的範囲内において実施例に様々な変更・変形を加えて実施することができる。例えば、本発明のプリズムは全反射プリズムとしたが反射ミラーを用いてもよい。
【図面の簡単な説明】
【００４２】
【図１】第１の実施例に係る単眼鏡１０の斜視図である。
【図２】第１の実施例に係る単眼鏡１０の導光光学系２０の原理図である。
【図３】第１の実施例に係る単眼鏡１０の導光光学系２０の結像原理を説明するための図である。
【図４】第２の実施例に係る単眼鏡１０の導光光学系２０の原理図である。
【図５】第１の変形例に係る単眼鏡１０の導光光学系２０の原理図である。
【図６】第２の変形例に係る単眼鏡１０の導光光学系２０の原理図である。
【図７】本発明の単眼鏡１０を用いた撮影装置の構成を示すブロック図である。
【符号の説明】
【００４３】
１０  …  単眼鏡
１１  …  対物レンズ部
１２  …  ボディ部
１３  …  接眼部
１４  …  制御部
１５ａ  …  対物レンズ部のマウント部
１５ｂ  …  ボディ部のマウント部
１６  …  接点
１７  …  電源スイッチ
１８  …  アタッチメント
１９  …  カメラ本体
２０  …  導光光学系
２１  …  フィールドレンズ
２２Ａ  …  第１リレーレンズ
２２Ｂ  …  第２リレーレンズ
２３  …  第１プリズム
２４  …  第２プリズム
２５  …  第３プリズム
２６  …  第４プリズム
３１  …  第１反射面
３２  …  第２反射面
３３  …  第３反射面
３４  …  第４反射面
３５  …  第５反射面
３６  …  第６反射面
５０  …  撮影装置
ＬＲ  …  光軸
ＩＭ  …  被観察物
ＩＭ−Ａ  …  被観察物の第１次像
ＩＭ−Ｂ  …  被観察物の第２次像
Ｏ  …  被観察物の端部
Ａ  …  第１次像の端部
Ｂ  …  第２次像の端部
Ｌ１  …  ＬＲに平行なＯからの光線
Ｌ２  …  対物レンズ部の中心を通過するＯからの光線
【図１】
2010122562.tif 000003
【図２】
2010122562.tif 000004
【図３】
2010122562.tif 000005
【図４】
2010122562.tif 000006
【図５】
2010122562.tif 000007
【図６】
2010122562.tif 000008
【図７】
2010122562.tif 000009